(57)【要約】【課題】多様な機能を有する例えばテレビジョン受像機等の電子機器において、モード設定されている機能をユーザー等が容易に確認できるようにするオンスクリーン表示装置を提供する。【解決手段】テレビジョン受像機等の電子機器に備えられている機能毎の動作モードに関連付けられた色データを記憶する記憶部３と、ユーザー等から電子機器に対して音量調整操作がなされると、電子機器に設定されている音量を示す画像パターンを生成すると共に、記憶部３に記憶されている色データのうち、電子機器に設定されている現在の動作モードに関連する色データを取得し、該色データに基づいて画像パターンに着色処理を施して、オンスクリーン表示用の画像データを生成し、画像合成部４を介して、該画像データをディスプレイＤＹに供給することで、オンスクリーン表示を行わせるＯＳＤ制御部２を備える。【選択図】  図１
2008141463.tif 000002
【特許請求の範囲】
【請求項１】
電子機器に設定されている動作モードを表示するオンスクリーン表示装置であって、
前記電子機器に備えられている機能毎の動作モードに関連付けられた色データを記憶する記憶手段と、
ユーザー等から前記電子機器に対して音量調整操作がなされると、前記電子機器に設定されている音量を示す画像パターンを生成すると共に、前記電子機器に設定されている現在の動作モードに関連する色データを前記記憶手段から取得し、該色データに基づいて前記画像パターンに着色処理を施して、オンスクリーン表示用の画像データを生成し、該画像データに基づいて表示装置にオンスクリーン表示を行わせるオンスクリーン制御手段と、
を備えることを特徴とするオンスクリーン表示装置。
【請求項２】
前記電子機器に備えられている機能は、音声再生に関する機能、又は、映像再生に関する機能であり、
前記記憶部は、前記音声再生に関する機能毎の動作モードに関連付けられた色データ、又は、前記映像再生に関する機能毎の動作モードに関連付けられた色データを記憶すること、
を特徴とする請求項１に記載のオンスクリーン表示装置。
【請求項３】
動作モードを表示するオンスクリーン機能を備えたテレビジョン受像機であって、
前記テレビジョン受像機に備えられている機能毎の動作モードに関連付けられた色データを記憶する記憶手段と、
ユーザー等から前記電子機器に対して音量調整操作がなされると、前記テレビジョン受像機に設定されている音量を示す画像パターンを生成すると共に、前記テレビジョン受像機に設定されている現在の動作モードに関連する色データを前記記憶手段から取得し、該色データに基づいて前記画像パターンに着色処理を施して、オンスクリーン表示用の画像データを生成し、該画像データに基づいて表示装置にオンスクリーン表示を行わせるオンスクリーン制御手段と、
を備えることを特徴とするテレビジョン受像機。
【請求項４】
前記テレビジョン受像機に備えられている機能は、音声再生に関する機能、又は、映像再生に関する機能であり、
前記記憶部は、前記音声再生に関する機能毎の動作モードに関連付けられた色データ、又は、前記映像再生に関する機能毎の動作モードに関連付けられた色データを記憶すること、
を特徴とする請求項３に記載のテレビジョン受像機。
【請求項５】
電子機器に設定されている動作モードを表示するオンスクリーン表示方法であって、
前記電子機器に備えられている機能毎の動作モードに関連付けられた色データを記憶する記憶工程と、
ユーザー等から前記電子機器に対して音量調整操作がなされると、前記電子機器に設定されている音量を示す画像パターンを生成すると共に、前記記憶工程で記憶されている前記色データのうち、前記電子機器に設定されている現在の動作モードに関連する色データを取得し、該色データに基づいて前記画像パターンに着色処理を施して、オンスクリーン表示用の画像データを生成し、該画像データに基づいて表示装置にオンスクリーン表示を行わせるオンスクリーン制御工程と、
を備えることを特徴とするオンスクリーン表示方法。
【請求項６】
前記電子機器に備えられている機能は、音声再生に関する機能、又は、映像再生に関する機能であり、
前記記工程では、前記音声再生に関する機能毎の動作モードに関連付けられた色データ、又は、前記映像再生に関する機能毎の動作モードに関連付けられた色データを記憶すること、
を特徴とする請求項５に記載のオンスクリーン表示方法。
【発明の詳細な説明】
【技術分野】
【０００１】
本発明は、例えば表示装置や映像機器等に搭載されるオンスクリーンディスプレイ（On-Screen Display）或いはオンスクリーン機能（on-screen function）に関する。
【背景技術】
【０００２】
近年、テレビジョン受像機等の映像機器では、多様な視聴環境を提供するため、多機能化が図られている。例えば、音声（sound）再生に関する機能として、モノラル再生、２チャンネルステレオ再生、マルチチャンネルサラウンド再生、音声多重再生、標準の音声再生等、多様な機能が備えられ、ユーザー等が所望の機能をモード設定することが可能となっている。また、映像再生に関する機能として、文字多重、標準の映像再生、シネマ等の映像ソースに合った画質調整を行う演出（エフェクト）再生等、多様な機能が備えられ、ユーザー等が所望の機能をモード設定することが可能となっている。
【０００３】
また、これら多くの機能の中からユーザー等が所望の機能をモード設定等し易くするため、オン・スクリーン・ディスプレイ（ＯＳＤ）等の技術が用いられている。
【０００４】
そして、ユーザー等がリモコン装置等を用いてモード設定のためのメニュー画面をオンスクリーン表示させ、次に、所望の機能の設定項目を選択操作すると、所望の視聴環境に設定することが可能となっている。また、メニュー画面をオンスクリーン表示させると、映像機器の現在の動作モード（現在設定されている機能）を確認することができるようになっている。
【０００５】
しかし、ユーザー等にとっては、チャンネル切り替えボタンを操作して受信局を選局したり、ボリュームスイッチを操作して音量調整を行う場合に較べて、メニュー画面を開いてモード設定やモード確認を行う方が多くの操作を必要とすることから、更なる操作性の向上を図ることが重要な課題となっている。例えば、ユーザー等がモード設定しておいた機能を、後日に確認しようとする場合、再びメニュー画面をオンスクリーン表示させ、動作モードの設定項目を調べる必要があるため、より操作性の向上を図ることが課題となっている。
【０００６】
こうした課題を解決しようとする一従来例として、特開２０００−３５０２１９号公報（特許文献１）に開示されたものがある。
【０００７】
特許文献１のテレビジョン受像機では、文字多重放送を受信する際、画面上に表示する文字の色を音量に応じて変化させている。これにより、例えば難聴者が、文字の色を見て音量を知ることができ、大音量となっていた場合には適正レベルの音量に調整する必要性に気づくことができるようになっている。
【０００８】
【特許文献１】特開２０００−３５０２１９号公報
【発明の開示】
【発明が解決しようとする課題】
【０００９】
ところが、特許文献１のテレビジョン受像機では、文字多重放送を受信している場合に限って、表示中の文字に、音量に応じた色を施しているに過ぎない。このため、テレビジョン受像機に備えられている多様な機能のうち、モード設定されている機能を、ユーザー等に直感的且つ容易に確認できるようにするためには、不十分である。
【００１０】
本発明は、こうした従来の課題に鑑みてなされたものであり、多様な機能を有する例えばテレビジョン受像機等の機器において、モード設定されている機能をユーザー等が容易に確認できるようにすること目的とする。
【課題を解決するための手段】
【００１１】
請求項１に記載の発明は、電子機器に設定されている動作モードを表示するオンスクリーン装置であって、前記電子機器に備えられている機能毎の動作モードに関連付けられた色データを記憶する記憶手段と、ユーザー等から前記電子機器に対して音量調整操作がなされると、前記電子機器に設定されている音量を示す画像パターンを生成すると共に、前記電子機器に設定されている現在の動作モードに関連する色データを前記記憶手段から取得し、該色データに基づいて前記画像パターンに着色処理を施して、オンスクリーン表示用の画像データを生成し、該画像データに基づいて表示装置にオンスクリーン表示を行わせるオンスクリーン制御手段と、を備えることを特徴とする。
【００１２】
請求項３に記載の発明は、動作モードを表示するオンスクリーン機能を備えたテレビジョン受像機であって、前記テレビジョン受像機に備えられている機能毎の動作モードに関連付けられた色データを記憶する記憶手段と、ユーザー等から前記電子機器に対して音量調整操作がなされると、前記テレビジョン受像機に設定されている音量を示す画像パターンを生成すると共に、前記テレビジョン受像機に設定されている現在の動作モードに関連する色データを前記記憶手段から取得し、該色データに基づいて前記画像パターンに着色処理を施して、オンスクリーン表示用の画像データを生成し、該画像データに基づいて表示装置にオンスクリーン表示を行わせるオンスクリーン制御手段と、を備えることを特徴とする。
【００１３】
請求項５に記載の発明は、電子機器に設定されている動作モードを表示するオンスクリーン表示方法であって、前記電子機器に備えられている機能毎の動作モードに関連付けられた色データを記憶する記憶工程と、ユーザー等から前記電子機器に対して音量調整操作がなされると、前記電子機器に設定されている音量を示す画像パターンを生成すると共に、前記記憶工程で記憶されている前記色データのうち、前記電子機器に設定されている現在の動作モードに関連する色データを取得し、該色データに基づいて前記画像パターンに着色処理を施して、オンスクリーン表示用の画像データを生成し、該画像データに基づいて表示装置にオンスクリーン表示を行わせるオンスクリーン制御工程と、を備えることを特徴とする。
【発明を実施するための最良の形態】
【００１４】
本発明の好適な実施形態について、図１を参照して説明する。図１（ａ）は、本実施形態に係るオンスクリーン表示装置（ＯＳＤ装置）の構成を示すブロック図、図１（ｂ）（ｃ）（ｄ）（ｅ）は、ＯＳＤ表示機能を説明するための説明図である。なお、説明の便宜上、本実施形態のＯＳＤ装置１は、テレビジョン受像機に搭載されているものとして説明する。
【００１５】
図１（ａ）において、まず、テレビジョン受像機の構成を概説すると、テレビジョン受像機には、テレビジョン放送を受信して検波及び復調することで、放送番組の音声信号Ｓaとビデオ信号Ｓvを再生する受信部Ｒxと、ユーザー等が設定したテレビジョン受像機の音声再生に関する動作モード（音声再生モード）に従って、音声信号Ｓaに対し信号処理を施す音声信号処理部Ａと、ユーザー等が設定したテレビジョン受像機の映像再生に関する動作モード（映像再生モード）に従って、ビデオ信号Ｓvに対し信号処理を施すビデオ信号処理部Ｂと、スピーカＳＰと、ディスプレイＤＹが備えられている。
【００１６】
ここで、音声信号処理部Ａは、モノラル再生、２チャンネルステレオ再生、マルチチャンネルサラウンド再生、音声多重再生、標準の音声再生、ジャズやポップスやクラシック等の音楽ソースに合った音質調整を行う演出（エフェクト）再生、深夜の時間に音量を低減する深夜モード再生、消音（ミュート）等の複数の音声（sound）再生に関する機能を有している。
【００１７】
そして、ユーザー等が、後述するリモコン装置等を操作して、音声信号処理部Ａに備えられている複数の機能のうち、所望の機能を選択して設定する（つまり、所望の音声再生モードを設定する）と、そのモード設定された機能を示す制御信号ＣＮＴaがテレビジョン受像機に内蔵されているリモコン受信器（図示略）を介して供給され、その制御信号ＣＮＴaに従って音声信号Ｓaを信号処理し、処理した音声信号ＳauをスピーカＳＰに供給する。
【００１８】
例えば、ユーザー等がモノラル再生のモード設定をした場合には、音声信号Ｓaに対してモノラル再生のための信号処理を施し、また、ユーザー等が２チャンネルステレオ再生のモード設定をした場合には、音声信号Ｓaに対して２チャンネルステレオ再生のための信号処理を施すようになっている。
【００１９】
また、音声信号処理部Ａは、リモコン装置等に設けられている音量調整ボタンによって、音量が指定されると、その制御信号ＣＮＴaに従って、音声信号Ｓaに対して増幅又は減衰処理を施すことで、スピーカＳＰで再生される音の音量を調整する。
【００２０】
更に又、音声信号処理部Ａは、リモコン装置等に設けられている消音（ミュート）ボタンがオン操作されると、その制御信号ＣＮＴaに従って音声信号Ｓaを減衰させ、スピーカＳＰから音が出ないようにする。また、消音ボタンがオフ操作されると、消音（ミュート）処理を解除し、スピーカＳＰから出力される音の音量を元に戻すようになっている。
【００２１】
ビデオ信号処理部Ｂは、文字多重、標準の映像再生、シネマ等の映像ソースに合った画質調整を行う演出（エフェクト）再生等、複数の映像再生に関する機能を有している。
【００２２】
そして、ユーザー等が、リモコン装置等を操作して、ビデオ信号処理部Ｂに備えられている複数の機能のうち、所望の機能を選択して設定する（つまり、所望の映像再生モードを設定する）と、そのモード設定された機能を示す制御信号ＣＮＴvがテレビジョン受像機に内蔵されているリモコン受信器（図示略）を介して供給され、その制御信号ＣＮＴvに従って、ビデオ信号Ｓvを信号処理して、処理したビデオ信号Ｓvdを出力する。
【００２３】
例えば、ユーザー等が文字多重のモード設定をした場合には、ビデオ信号Ｓvに対して文字多重の信号処理を施し、また、ユーザー等が標準の映像再生のモード設定をした場合には、ビデオ信号Ｓvに対して、標準の映像再生の信号処理を施すようになっている。
【００２４】
かかる構成を有するテレビジョン受像機に、ＯＳＤ制御部２と記憶部３と画像合成部４とを備えた本実施形態のＯＳＤ装置１が搭載されている。
【００２５】
画像合成部４は、ＯＳＤ制御部２から供給される後述のＯＳＤ画像データＳosdと、ビデオ信号処理部Ｂから出力されるビデオ信号Ｓvdを、所定のフィールド期間又はフレーム期間に同期して合成処理することにより、合成ビデオ信号Ｓvcを生成して、ディスプレイＤＹに供給する。
【００２６】
これにより、後述のメニューをＯＳＤ表示する場合には、図１（ｂ）に例示するように、合成ビデオ信号Ｓvcに基づいて、ディスプレイＤＹにメニュー画像を表示させる。
【００２７】
また、音量をＯＳＤ表示する場合には、図１（ｃ）に例示するように、ディスプレイＤＹの画面上にビデオ信号Ｓvdに基づく映像を表示させ、且つ画面上の所定領域に音量を示すＯＳＤ画像を併せて表示させる。
【００２８】
また、ユーザー等がリモコン装置等を操作して消音（ミュート）の指示がなされると、図１（ｄ）に例示するように、ディスプレイＤＹの画面上にビデオ信号Ｓvdに基づく映像を表示させ、且つ画面上の所定領域に消音モードであることを示すＯＳＤ画像を併せて表示させる。
【００２９】
また、画像合成部４は、ＯＳＤ制御部２からＯＳＤ画像データＳosdが供給されないときには、ビデオ信号処理部Ｂから出力されるビデオ信号Ｓvdをそのまま合成ビデオ信号ＳvcとしてディスプレイＤＹに供給する。これにより、図１（ｅ）に例示するように、ディスプレイＤＹの画面上にビデオ信号Ｓvdに基づく映像だけを表示させ、ＯＳＤ表示を行わないようになっている。
【００３０】
記憶部３は、記憶の消去・書き込みを何度でも行うことが可能で、電源を切ってもデータを消去すること無く保存する半導体メモリ等で形成されており、音声信号処理部Ａに備えられている上述の各機能を示す項目データＤ(i)と、各項目データＤ(i)に関連付けられた色を示す色データＣ(i)が記憶されている。
【００３１】
つまり、上述した音声再生に関する機能である、モノラル再生、２チャンネルステレオ再生、マルチチャンネルサラウンド再生、音声多重再生、標準の音声再生、演出再生、深夜モード再生、消音（ミュート）等の各項目データＤ(i)と、各色を示す色データＣ(i)とが、表１に例示すように対応付けて記憶されている。
【００３２】
【表１】
2008141463.tif 000003
【００３３】
ＯＳＤ制御部２は、上述のリモコン装置等によってユーザー等が所定の操作をすると、操作された指示内容に従って、ＯＳＤ表示のための制御を行う。
【００３４】
つまり、リモコン装置等から発せられる信号をテレビジョン受像機内のリモコン受信器が受信して、ユーザー等の指示内容を示す制御信号ＣＮＴdを出力すると、その制御信号ＣＮＴdをＯＳＤ制御部２が入力し、指示された内容に従って、次に述べるＯＳＤ表示のための制御を行う。
【００３５】
まず、ユーザー等がリモコン装置等を操作して、メニュー画像を表示させるための指示をすると、ＯＳＤ制御部２は、記憶部３から項目データＤ(i)を取得し、設定項目に分類してディスプレイＤＹの画面上にメニュー画像を表示するためのＯＳＤ画像データＳosdを生成し、画像合成部４へ出力する。これにより、画像合成部４において、ビデオ信号ＳvdとＯＳＤ画像データＳosdとが合成された合成ビデオ信号Ｓvcが生成されて、ディスプレイＤＹに供給されることで、図１（ｂ）に示したように、メニュー画像がＯＳＤ表示される。
【００３６】
また、ユーザー等がリモコン装置等を操作して、ディスプレイＤＹの画面上に表示されたメニューに基づいて所望の設定項目を選択して設定する（すなわち、音声再生モードを設定する）と、ＯＳＤ制御部２は、記憶部３に記憶されている項目データＤ(i)のうち、モード設定された項目データにフラグデータＦを付けて記憶させる。
【００３７】
つまり、ディスプレイＤＹにメニュー表示されたモノラル再生、２チャンネルステレオ再生、マルチチャンネルサラウンド再生、音声多重再生、標準の音声再生、演出再生、深夜モード再生、消音（ミュート）等の設定項目の中から、ユーザー等がリモコン装置等を操作して、例えばモノラル再生の設定項目を選択して設定した場合、ＯＳＤ制御部２は、モノラル再生の項目データＤ(1)と色データＣ(1)に対応付けてフラグデータＦを記憶部３に記憶させ、（Ｆ）＋Ｄ(1)＋Ｃ(1)で表される関連付けを行う。
【００３８】
また、演出再生を除く、残余の設定項目が選択設定された場合にも同様に、フラグデータＦを記憶部３に記憶させ、（Ｆ）＋Ｄ(2)＋Ｃ(2)、（Ｆ）＋Ｄ(3)＋Ｃ(3)、（Ｆ）＋Ｄ(4)＋Ｃ(4)、（Ｆ）＋Ｄ(5)＋Ｃ(5)、（Ｆ）＋Ｄ(7)＋Ｃ(7)、（Ｆ）＋Ｄ(8)＋Ｃ(8)等で表される関連付けを行う。
【００３９】
ここで、演出再生の機能は、モノラル再生、２チャンネルステレオ再生、マルチチャンネルサラウンド再生、音声多重再生、標準の音声再生、深夜モード再生、消音（ミュート）等の機能に対して更に付加する機能であることから、単独で選択設定されるものではない。つまり、例えばユーザー等が、モノラル再生音を受聴したいと欲した場合には、モノラル再生の設定項目だけを選択設定し、また、演出効果を付与したモノラル再生音を受聴したいと欲した場合には、モノラル再生の設定項目と演出再生の設定項目を併せて設定することとなる。
【００４０】
そこで、ＯＳＤ制御部２は、モノラル再生、２チャンネルステレオ再生、マルチチャンネルサラウンド再生、音声多重再生、標準の音声再生、深夜モード再生、消音（ミュート）等のうちの何れかの設定項目と併せて、演出再生の設定項目も設定されると、項目データＤ(6)にもフラグデータＦを付けて記憶部３に記憶させる。
【００４１】
したがって、ＯＳＤ制御部２は、モノラル再生、２チャンネルステレオ再生、マルチチャンネルサラウンド再生、音声多重再生、標準の音声再生、深夜モード再生、消音（ミュート）等のうちの何れかの選択項目と、演出再生の設定項目とが併せて設定された場合には、（Ｆ）＋Ｄ(1)＋Ｃ(1)＋（Ｆ）＋Ｄ(6)＋Ｃ(6)、（Ｆ）＋Ｄ(2)＋Ｃ(2)＋（Ｆ）＋Ｄ(6)＋Ｃ(6)、（Ｆ）＋Ｄ(3)＋Ｃ(3)＋（Ｆ）＋Ｄ(6)＋Ｃ(6)、（Ｆ）＋Ｄ(4)＋Ｃ(4)＋（Ｆ）＋Ｄ(6)＋Ｃ(6)、（Ｆ）＋Ｄ(5)＋Ｃ(5)＋（Ｆ）＋Ｄ(6)＋Ｃ(6)、（Ｆ）＋Ｄ(7)＋Ｃ(7)＋（Ｆ）＋Ｄ(6)＋Ｃ(6)、（Ｆ）＋Ｄ(8)＋Ｃ(8)＋（Ｆ）＋Ｄ(6)＋Ｃ(6)等で表される関連付けを行う。
【００４２】
更に又、ユーザー等が上述のメニューに基づいて音声再生モードを設定し終えた後、リモコン装置等に設けられている音量調整ボタン（ボリューム調整ボタン）を操作すると、ＯＳＤ制御部２は、記憶部３に既に記憶されているフラグデータＦが付けられた項目データを検索する。そして、制御信号ＣＮＴaによって既に設定されている音量を、長尺状の帯の長さで表すための画像パターンを生成すると共に、フラグデータＦが付けられた項目データに関連付けられている色データに基づいてその画像パターンに着色処理を施すことで、音量を帯状の長さで示し、且つ音声信号処理部Ａに現在設定されている音声再生モードを色で示すＯＳＤ画像データＳosdを生成し、画像合成部４へ出力する。
【００４３】
つまり、例えばユーザー等が上述のメニューに基づいて、モノラル再生を設定した後、リモコン装置等に設けられている音量調整ボタンを操作すると、ＯＳＤ制御部２は、記憶部３に既に記憶されている、（Ｆ）＋Ｄ(1)＋Ｃ(1)の関連付けがなされている項目データＤ(1)の色データＣ(1)を取得し、制御信号ＣＮＴaによって既に設定されている音量を帯状の長さで示す画像パターンを生成し、更にその画像パターンに青色の着色処理を施すことで、現在設定されている音量を帯状の長さで示し、且つ現在設定されている音声再生モードを青色で示すＯＳＤ画像データＳosdを生成する。
【００４４】
また、例えばユーザー等が上述のメニューに基づいて、モノラル再生と演出再生の設定項目を併せて設定した後、リモコン装置等に設けられている音量調整ボタンを操作すると、ＯＳＤ制御部２は、記憶部３に既に記憶されている、（Ｆ）＋Ｄ(1)＋Ｃ(1)＋（Ｆ）＋Ｄ(6)＋Ｃ(6)の関連付けがなされている項目データＤ(1)の色データＣ(1)とＣ(6)を取得し、制御信号ＣＮＴaによって既に設定されている音量を帯状の長さで示す画像パターンを生成し、更にその画像パターンに青色と銀色との着色処理を施すことで、現在設定されている音量を帯状の長さで示し、且つ現在設定されている音声再生モードを金属色の青色で示すＯＳＤ画像データＳosdを生成する。
【００４５】
このように、ＯＳＤ制御部２は、ユーザー等がメニューの設定項目を選択設定することで音声再生モードを設定した後、音量調整を行うと、現在設定されている音量だけでなく、音声再生ーモードも同時にＯＤＳ表示するためのＯＳＤ画像データＳosdを生成し、画像合成部４へ供給する。
【００４６】
そして、ＯＳＤ制御部２からＯＳＤ画像データＳosdが画像合成部４に供給されると、画像合成部４が、ビデオ信号ＳvdとそのＯＳＤ画像データＳosdとを合成した合成ビデオ信号Ｓvcを生成して、ディスプレイＤＹに供給することで、図１（ｃ）に示したように、ディスプレイＤＹの画面上にビデオ信号Ｓvdに基づく映像を表示させ、且つ画面上の所定領域に、音量を長さで示し且つ音声再生モードを色で示すＯＳＤ画像を併せて表示させる。
【００４７】
更に又、ユーザー等が上述のメニューに基づいて設定した音声再生モードの下で視聴している際に、リモコン装置等に設けられている消音（ミュート）ボタンをオン操作すると、現在設定されている音量を帯状の長さで示す画像パターンを生成し、更に、記憶部３に記憶されている項目データＤ(8)に関連付けられている赤色の色データＣ(8)に基づいて、その画像パターンに赤色の着色処理を施すことで、現在設定されている音量を帯状の長さで示し、且つ消音（ミュート）ボタンがオン操作されたことを赤色で示すＯＳＤ画像データＳosdを生成し、画像合成部４へ出力する。そして、消音（ミュート）ボタンがオフ操作されると、そのＯＳＤ画像データＳosdの生成を終了し、画像合成部４への出力を終了する。
【００４８】
つまり、ユーザー等が上述のメニューに基づいて、モノラル再生、２チャンネルステレオ再生、マルチチャンネルサラウンド再生、音声多重再生、標準の音声再生、演出再生、深夜モード再生等の何れかの設定項目を選択設定して視聴中であったとしても、消音（ミュート）ボタンをオン操作された場合には、現在設定されている音量を帯状の長さで示す画像パターンに、強制的に赤色の着色を施して、ＯＳＤ画像データＳosdを生成する。
【００４９】
そして、消音（ミュート）ボタンがオン操作されて、ＯＳＤ制御部２からＯＳＤ画像データＳosdが画像合成部４に供給されると、画像合成部４が、ビデオ信号ＳvdとそのＯＳＤ画像データＳosdとを合成した合成ビデオ信号Ｓvcを生成して、ディスプレイＤＹに供給することで、図１（ｄ）に示したように、ディスプレイＤＹの画面上にビデオ信号Ｓvdに基づく映像を表示させ、且つ画面上の所定領域に、現在設定されている音量を長さで示し、且つ消音中であることを赤色で示すＯＳＤ画像を併せて表示させる。
【００５０】
また、消音（ミュート）ボタンがオフ操作されて、ＯＳＤ制御部２がＯＳＤ画像データＳosdを生成しなくなると、画像合成部４が、ビデオ信号Ｓvdをそのまま合成ビデオ信号ＳvcとしてディスプレイＤＹに供給することで、図１（ｅ）に示したように、ＯＳＤ表示を終了させ、ディスプレイＤＹの画面上にビデオ信号Ｓvdに基づく映像だけを表示させる。
【００５１】
以上に説明した本実施形態のＯＳＤ装置１によると、次の効果が得られる。 
つまり、テレビジョン受像機の音声信号処理部Ａに備えられている音声再生に関する複数の機能のうち、所望の機能をユーザー等が選択して所望の音楽再生モードを設定することで、テレビジョン受像機がその音楽再生モードで動作している際に、ユーザー等から音量調整のための操作がなされると、図１（ｃ）に例示したように、ディスプレイの画面上に、音量を帯状の長さで示すＯＳＤ画像を表示させ、更にそのＯＳＤ画像の色を、現在の音楽再生モードに対応する色でＯＳＤ表示させる。このため、ユーザー等は、リモコン装置等に設けられている音量調整ボタンを操作するだけで、音量の確認と、現在設定されている音声再生モードも確認することができ、利便性、操作性の向上を図ることが可能となっている。
【００５２】
特に、音声再生モードに対応付けられた所定の色で、音量を帯状の長さで示すＯＳＤ画像に着色を施してＯＳＤ表示を行うので、直感的に理解し易い形態でユーザー等に提示することができ、利便性、操作性の向上を図ることが可能である。
【００５３】
なお、以上に説明した実施形態では、音量を帯状の長さで示すＯＳＤ画像によってＯＳＤ表示することとしているが、音量を数字や記号で示すＯＳＤ画像によってＯＳＤ表示し、更にその数字や記号のＯＳＤ画像に、音声再生に関する複数の各機能に対応付けられた所定の色を着色してＯＳＤ表示しても良い。
【００５４】
また、音量を帯状の長さで示すＯＳＤ画像に限らず、例えば丸や四角のドットパターンの数によって音量を示すＯＳＤ画像を生成し、そのＯＳＤ画像に、音声再生に関する複数の各機能に対応付けられた所定の色を着色してＯＳＤ表示しても良い。
【００５５】
また、演出再生の機能として、ジャズやポップスやクラシック等の音楽ソースに合わせて再生する所謂イコライザー機能の他、ユーザー等に更なる臨場感を与える音場制御による音声再生機能を追加しても良い。
【００５６】
また、本実施形態のＯＳＤ装置１は、テレビジョン受像機に搭載されてだけでなく、ディスプレイ（表示装置）を備える機器、例えばオーディオ機器、オーディオ再生機能を有する携帯端末装置、パーソナルコンピュータ等にも適用することが可能である。
【００５７】
また、ＯＳＤ装置１は、電子素子や集積回路装置等のハードウェアで形成しても良いし、また、コンピュータプログラムで作成して、マイクロプロセッサやディジタルシグナルプロセッサ（ＤＳＰ）で実行させるようにしてもよい。つまり、ファームウェアで実現しても良い。
【実施例１】
【００５８】
次に、より具体的な実施例について、図２〜図５を参照して説明する。図２は、本実施例のテレビジョン受像機の構成を示すブロック図である。なお、図２において図１（ａ）と同一又は相当する部分を同一符号で示している。
【００５９】
図２において、本実施例のテレビジョン受像機は、ディジタル放送を受信するテレビジョン受像機であり、ＯＳＤ制御部２と記憶部３と画像合成部４を有するＯＳＤ装置１を具備し、チューナ／復調部１０とトランスポートデコーダ１１とＡＶデコーダ（オーディオビデオデコーダ）１２を有する受信部Ｒxと、音声信号処理部Ａ、ビデオ信号処理部Ｂ、スピーカＳＰ、ディスプレイＤＹを備える他、制御部１５、モデム１３、カードインタフェース（カードＩ／Ｆ）１４、リモコンインタフェース（リモコンＩ／Ｆ）１６、光通信インタフェース（光通信Ｉ／Ｆ）１７を備えて構成されている。
【００６０】
ここで、制御部１５は、テレビジョン受像機全体の動作を集中制御するマイクロプロセッサ等で形成され、バス（ＢＵＳ）を介して、各構成要素との間で制御とデータ転送を行うようになっている。
【００６１】
モデム１３は、インターネット等の双方向通信路網を介して配信されてくる放送等を受信するために設けられている。
【００６２】
カードインタフェース１４は、メモリカード等の記憶媒体を着脱自在に装填し、記憶媒体に記憶されている音声ソースやビデオソースを読み取ってスピーカＳＰやディスプレイＤＹで再生させたり、本テレビジョン受像機で受信した音声ソースやビデオソースを記憶媒体に記憶させるために設けられている。
【００６３】
光通信インタフェース１７は、光通信機能を有するパーソナルコンピュータや携帯端末装置（携帯電話等）との間でデータ通信等を行うために設けられている。
【００６４】
リモコンインタフェース１６は、本テレビジョン受像機を操作するためのリモコン装置と通信を行うために設けられ、ユーザー等がリモコン装置を操作すると、その操作内容を受信して制御部１５へ転送する。
【００６５】
チューナ／復調部１０は、アンテナＡＮＴで受信された放送電波を選局受信し、所定の周波数変換処理及び復調処理を行うことで、ディジタルテレビジョン放送の伝送方式で規定されているトランスポートストリーム（ＭＰＥＧ-２ ＴＳ）ＴＳを再生する。
【００６６】
トランスポートデコーダ１１は、トランスポートストリームＴＳに含まれている音声ＰＥＳ（パテッタイズドエレメンタリストリームパケット）と映像ＰＥＳを所定のフィルタリング処理によって分離して、ＡＶデコーダ１２へ出力する。また、トランスポートデコーダ１１は、サービス情報として放送局から配信されてくる電子番組表（ＥＰＧ：Electronic Program Guide）のデータをトランスポートストリームＴＳから抽出し、バス（ＢＵＳ）と制御部１５を介して、ＯＳＤ装置１の記憶部３に記憶させようになっている。
【００６７】
ＡＶデコーダ１２は、音声ＰＥＳに含まれている音声ＥＳ（エレメンタリストリーム）を所定方式（ＭＰＥＧ-２ AAC）に準拠してデコードすることにより、音声（sound）信号Ｓaを生成すると共に、映像ＰＥＳに含まれている映像ＥＳ（エレメンタリストリーム）を所定方式（ＭＰＥＧ-２ Video）に準拠してデコードすることにより、ビデオ信号Ｓaを生成する。
【００６８】
音声信号処理部Ａは、実施形態で説明したのと同様に、モノラル再生、２チャンネルステレオ再生、マルチチャンネルサラウンド再生、音声多重再生、標準の音声再生、演出（エフェクト）再生、深夜モード再生、消音（ミュート）等、複数の音声再生に関する機能を有し、ユーザー等がリモコン操作によって所望の機能をモード設定する（つまり、所望の音声再生モードを設定する）と、リモコンインタフェース１６、バス（ＢＵＳ）、制御部１５を介して制御信号ＣＮＴaが供給され、ユーザー等の指定した音声再生モードで音声信号Ｓaに対して信号処理を行い、処理した音声信号ＳauをスピーカＳＰに供給して鳴動させる。また、ユーザー等がリモコン装置に設けられている音量調整ボタンによって音量が指定されると、その制御信号ＣＮＴaに従って、音声信号Ｓaに対して増幅又は減衰処理を施すことで、スピーカＳＰで再生される音の音量を調整する。また、リモコン装置等に設けられている消音（ミュート）ボタンがオン操作されると、その制御信号ＣＮＴaに従って音声信号Ｓaを減衰させ、スピーカＳＰから音が出ないようにする。また、消音ボタンがオフ操作されると、消音（ミュート）処理を解除し、スピーカＳＰから出力される音の音量を元に戻すようになっている。
【００６９】
ビデオ信号処理部Ｂは、実施形態で説明したのと同様に、文字多重、標準の映像再生、シネマ等の映像ソースに合った画質調整を行う演出（エフェクト）再生等、複数の映像再生に関する機能を有している。そして、ユーザー等がリモコン装置を操作して、ビデオ信号処理部Ｂに備えられている複数の機能のうち、所望の機能を選択して設定する（つまり、所望の映像再生モードを設定する）と、そのモード設定された機能を示す制御信号ＣＮＴvがリモコンインタフェース１６、バス（ＢＵＳ）、制御部１５を介して供給され、その制御信号ＣＮＴvに従って、ビデオ信号Ｓvを信号処理して、処理したビデオ信号Ｓvdを出力する。
【００７０】
次に、画像合成部４は、ＯＳＤ制御部２から供給されるＯＳＤ画像データＳosdと、ビデオ信号処理部Ｂから出力されるビデオ信号Ｓvdを、所定のフィールド期間又はフレーム期間に同期して合成処理することにより、合成ビデオ信号Ｓvcを生成して、ディスプレイＤＹに供給する。
【００７１】
これにより、後述の音声再生の機能に関するメニューをＯＳＤ表示する場合には、図３（ａ）に例示するように、合成ビデオ信号Ｓvcに基づいて、ディスプレイＤＹにメニュー画像を表示させる。また、後述の映像声再生の機能に関するメニューをＯＳＤ表示する場合には、図３（ｂ）に例示するように、合成ビデオ信号Ｓvcに基づいて、ディスプレイＤＹにメニュー画像を表示させる。
【００７２】
また、音量をＯＳＤ表示する場合には、図３（ｃ）に例示するように、ディスプレイＤＹの画面上にビデオ信号Ｓvdに基づく映像を表示させ、且つ画面上の所定領域に、音声再生モードを色で示すと共に音量を帯状の長さで示す画像パターンと、映像再生モードを示すアイコンとから成るＯＳＤ画像を表示させる。
【００７３】
また、ユーザー等がリモコン装置等を操作して消音（ミュート）の指示がなされると、図３（ｄ）に例示するように、ディスプレイＤＹの画面上にビデオ信号Ｓvdに基づく映像を表示させ、且つ画面上の所定領域に、図３（ｃ）に例示したＯＳＤ画像に赤色着色を施した画像パターンから成るＯＳＤ画像を表示させる。
【００７４】
また、画像合成部４は、ＯＳＤ制御部２からＯＳＤ画像データＳosdが供給されないときには、ビデオ信号処理部Ｂから出力されるビデオ信号Ｓvdをそのまま合成ビデオ信号ＳvcとしてディスプレイＤＹに供給する。これにより、図３（ｅ）に例示するように、ディスプレイＤＹの画面上にビデオ信号Ｓvdに基づく映像だけを表示させ、ＯＳＤ表示を行わないようになっている。
【００７５】
また、画像合成部４は、ＯＳＤ制御部２から電子番組表（ＥＰＧ）の情報がＯＳＤ画像データＳosdとして供給されると、ディスプレイＤＹに供給して電子番組表を表示させる。
【００７６】
記憶部３は、フラッシュＲＯＭ等の所謂不揮発性半導体メモリで形成されており、上述した電子番組表（ＥＰＧ）のデータを記憶する他、表１に示したのと同様に、音声信号処理部Ａに備えられている音声再生に関する各機能を示す項目データＤ(i)と、各項目データＤ(i)に関連付けられた色を示す色データＣ(i)が記憶されている。更に、記憶部３には、映像信号処理部Ｂに備えられている映像再生に関する各機能を示す項目データＥ(j)と、各項目データＥ(j)に関連付けられたアイコンデータＧ(j)が記憶されている。つまり、上述した映像再生に関する機能である、文字多重、標準の映像再生、映像ソースに合った画質調整を行う複数種類の演出再生（シネマ、スポーツ、ゲーム等）の各項目データＥ(j)と、各項目データＥ(j)に関連付けられたアイコンデータＧ(j)とが、表２に例示するように対応付けて記憶されている。
【００７７】
【表２】
2008141463.tif 000004
【００７８】
ＯＳＤ制御部２は、リモコン装置によってユーザー等が所定の操作をすると、リモコンインタフェース１６、バス（ＢＵＳ）、制御部１５を介して制御信号ＣＮＴdが供給され、その制御信号ＣＮＴdの指示内容に従ってＯＳＤ表示のための制御を行う。
【００７９】
つまり、ユーザー等がリモコン装置を操作して、音声再生モード設定用のメニュー画像を表示させるための指示をすると、ＯＳＤ制御部２は、記憶部３から項目データＤ(i)を取得し、設定項目に分類してディスプレイＤＹの画面上にメニュー画像を表示するためのＯＳＤ画像データＳosdを生成し、画像合成部４へ出力する。これにより、画像合成部４において、ビデオ信号ＳvdとＯＳＤ画像データＳosdとが合成された合成ビデオ信号Ｓvcが生成されて、ディスプレイＤＹに供給されることで、図３（ａ）に示したように、音声再生モード設定用のメニュー画像がＯＳＤ表示される。
【００８０】
更に、ユーザー等がリモコン装置を操作して、ディスプレイＤＹの画面上に表示された音声再生モード設定用のメニューに基づいて所望の設定項目を選択して設定する（すなわち、音声再生モードを設定する）と、ＯＳＤ制御部２は、上述の実施形態で説明したのと同様に、記憶部３に記憶されている項目データＤ(i)のうち、モード設定された項目データにフラグデータＦを付けて記憶させる。
【００８１】
更に又、ユーザー等がリモコン装置を操作して、映像再生モード設定用のメニュー画像を表示させるための指示をすると、ＯＳＤ制御部２は、記憶部３から項目データＥ(j)を取得し、設定項目に分類してディスプレイＤＹの画面上に映像再生モード設定用のメニュー画像を表示するためのＯＳＤ画像データＳosdを生成し、画像合成部４へ出力する。これにより、画像合成部４において、ビデオ信号ＳvdとＯＳＤ画像データＳosdとが合成された合成ビデオ信号Ｓvcが生成されて、ディスプレイＤＹに供給されることで、図３（ｂ）に示したように、映像再生モード設定用のメニュー画像がＯＳＤ表示される。
【００８２】
更に、ユーザー等がリモコン装置を操作して、ディスプレイＤＹの画面上に表示された映像再生モード設定用のメニューに基づいて所望の設定項目を選択して設定する（すなわち、映像再生モードを設定する）と、ＯＳＤ制御部２は、記憶部３に記憶されている項目データＥ(j)のうち、制御信号ＣＮＴvによって設定された項目データにフラグデータＨを付けて記憶させる。
【００８３】
更に又、ユーザー等が上述の音声再生モード設定用のメニュー、又は映像再生モード設定用のメニューに基づいてモード設定をし終えた後、リモコン装置等に設けられている音量調整ボタン（ボリューム調整ボタン）を操作すると、ＯＳＤ制御部２は、記憶部３に既に記憶されているフラグデータＦ，Ｈが付けられた項目データを検索する。そして、制御信号ＣＮＴaによって既に設定されている音量を、長尺状の帯の長さで表すための画像パターンを生成すると共に、フラグデータＦが付けられた項目データに関連付けられている色データに基づいてその画像パターンに着色処理を施すことで、音量を帯状の長さで示し、且つ音声信号処理部Ａに現在設定されている音声再生モードを色で示す画像パターンを生成し、更に、フラグデータＨが付けられた項目データに関連付けられているアイコンデータと該画像パターンとを組み合わせてＯＳＤ画像データＳosdを生成し、画像合成部４へ出力する。
【００８４】
つまり、例えばユーザー等が上述のメニューに基づいて、マルチチャンネルサラウンド再生と演出１（シネマ）を設定した後、リモコン装置に設けられている音量調整ボタンを操作すると、ＯＳＤ制御部２は、記憶部３に既に記憶されている、（Ｆ）＋Ｄ(3)＋Ｃ(3)の関連付けがなされている項目データＤ(3)の色データＣ(3)を取得すると共に、（Ｈ）＋Ｅ(4)＋Ｇ(4)の関連付けがなされている項目データＥ(4)のアイコンデータＧ(4)を取得し、更に、制御信号ＣＮＴaによって既に設定されている音量を帯状の長さで示す画像パターンを生成して色データＣ(3)に基づいて黄色の着色処理を施し、アイコンデータＧ(4)と組み合わせることで、現在設定されている音量を帯状の長さで示し、且つ現在設定されている音声再生モードを黄色で示し、現在設定されている映像再生モードを示すＯＳＤ画像データＳosdを生成する。
【００８５】
このように、ＯＳＤ制御部２は、ユーザー等がメニューの設定項目を選択設定することで音声再生モード又は映像再生モードを設定した後、音量調整を行うと、現在設定されている音量だけでなく、音声再生モード又は映像再生モードも同時にＯＤＳ表示するためのＯＳＤ画像データＳosdを生成し、画像合成部４へ供給する。
【００８６】
そして、ＯＳＤ制御部２からＯＳＤ画像データＳosdが画像合成部４に供給されると、画像合成部４が、ビデオ信号ＳvdとそのＯＳＤ画像データＳosdとを合成した合成ビデオ信号Ｓvcを生成して、ディスプレイＤＹに供給することで、図３（ｃ）に示したように、ディスプレイＤＹの画面上にビデオ信号Ｓvdに基づく映像を表示させ、且つ画面上の所定領域に、音量を長さで示し、音声再生モードを色で示し、映像再生モードを色で示すＯＳＤ画像を表示させる。
【００８７】
更に又、ユーザー等が上述のメニューに基づいて設定した音声再生モード又は映像再生モードの下で視聴している際に、リモコン装置に設けられている消音（ミュート）ボタンをオン操作すると、ＯＳＤ制御部２は、現在設定されている音量を帯状の長さで示す画像パターンを生成し、更に、フラグＨが付けられている現在設定されている映像再生モードに関する項目データのアイコンデータを記憶部３から取得して、該画像パターンとアイコンデータを組み合わせた画像パターンを生成し、更に、記憶部３に記憶されている項目データＤ(7)に関連付けられている赤色の色データＣ(7)に基づいて、その組み合わせた画像パターンに赤色の着色処理を施すことで、現在設定されている音量を帯状の長さで示し、現在設定されている音声再生モード又は映像再生モードを示し、消音（ミュート）ボタンがオン操作されたことを赤色で示すＯＳＤ画像データＳosdを生成して、画像合成部４へ出力する。そして、消音（ミュート）ボタンがオフ操作されると、そのＯＳＤ画像データＳosdの生成を終了し、画像合成部４への出力を終了する。
【００８８】
また、消音（ミュート）ボタンがオフ操作されて、ＯＳＤ制御部２がＯＳＤ画像データＳosdを生成しなくなると、画像合成部４が、ビデオ信号Ｓvdをそのまま合成ビデオ信号ＳvcとしてディスプレイＤＹに供給することで、図３（ｅ）に示したように、ＯＳＤ表示を終了させ、ディスプレイＤＹの画面上にビデオ信号Ｓvdに基づく映像だけを表示させる。
【００８９】
次に、図４と図５に示すフローチャートを参照して、かかる構成を有するテレビジョン受像機の動作を説明する。なお、図４は、メニューをＯＳＤ表示し、モード設定をする際の動作、図５は、音量をＯＳＤ表示する際の動作を示している。
【００９０】
図４において、ユーザー等がリモコン操作して、音声再生モード設定用又は映像再生モード設定用のメニュー表示を指示すると、リモコンインターフェース１７を介して、制御部１５が、送信されてきた信号を受信し、ステップＳＴ10において、受信信号の内容を解析する。そして、音声再生モード設定用のメニュー表示が指示されたと判断すると、ステップＳＴ20へ移行し、また、映像再生モード設定用のメニュー表示が指示されたと判断すると、ステップＳＴ30へ移行する。
【００９１】
まず、音声再生モード設定用のメニュー表示が指示された場合の動作について説明すると、ステップＳＴ20において、ＯＳＤ制御部２が、制御部１５の制御の下で、音声再生モード設定用のＯＳＤ信号Ｓosdを生成し、画像合成部４を介してディスプレイＤＹに供給することで、図３（ａ）に例示した音声再生モード設定用のメニューをＯＳＤ表示させる。
【００９２】
次に、ユーザー等が所望の設定項目を選択操作すると、ステップＳＴ21において、制御部１５が、送られてきた信号の内容を解析し、設定項目の機能を示す制御信号ＣＮＴaを音声信号処理部ＡとＯＳＤ制御部２に供給する。これにより、音声信号処理部Ａは、ユーザー等が設定した音声再生モードでの信号処理を開始する。
【００９３】
次に、ステップＳＴ22において、ＯＳＤ制御部２が、記憶部３に記憶されている項目データＤ(i)のうち、モード設定された項目データにフラグデータＦを付けて記憶させ、モード設定を確定する。
【００９４】
次に、ＯＳＤ制御部２がＯＳＤ信号Ｓosdの出力を終了した後、ステップＳＴ23において、上述の確定させた音声再生モードを提示するため、文字データ等から成るＯＳＤ信号Ｓosdを生成し、画像合成部４を介してディスプレイＤＹに供給してＯＳＤ表示させる。
【００９５】
次に、ステップＳＴ24において、ＯＳＤ制御部２が、内蔵されているプログラムタイマーを起動させて、予め決められた一定時間（例えば、３秒程度）が経過するまで、提示したＯＳＤ画像を継続表示させた後、ステップＳＴ25において、ＯＳＤ信号Ｓosdの出力を終了することで、ＯＳＤを画像を消画させ、処理を完了する。
【００９６】
次に、映像再生モード設定用のメニュー表示が指示された場合の動作について説明すると、上述のステップＳＴ30において、ＯＳＤ制御部２が、制御部１５の制御の下で、映像再生モード設定用のＯＳＤ信号Ｓosdを生成し、画像合成部４を介してディスプレイＤＹに供給することで、図３（ｂ）に例示した音声再生モード設定用のメニューをＯＳＤ表示させる。
【００９７】
次に、ユーザー等が所望の設定項目を選択操作すると、ステップＳＴ31において、制御部１５が、送られてきた信号の内容を解析し、設定項目の機能を示す制御信号ＣＮＴvをビデオ信号処理部ＢとＯＳＤ制御部２に供給する。これにより、ビデオ信号処理部Ｂは、ユーザー等が設定した映像再生モードでの信号処理を開始する。
【００９８】
次に、ステップＳＴ32において、ＯＳＤ制御部２が、記憶部３に記憶されている項目データＥ(j)のうち、モード設定された項目データにフラグデータＨを付けて記憶させ、モード設定を確定する。
【００９９】
次に、ＯＳＤ制御部２がＯＳＤ信号Ｓosdの出力を終了した後、ステップＳＴ33において、上述の確定させた映像再生モードを提示するため、文字データ等から成るＯＳＤ信号Ｓosdを生成し、画像合成部４を介してディスプレイＤＹに供給してＯＳＤ表示させる。
【０１００】
次に、ステップＳＴ34において、ＯＳＤ制御部２が、内蔵されているプログラムタイマーを起動させて、予め決められた一定時間（３秒程度）が経過するまで、提示したＯＳＤ画像を継続表示させた後、ステップＳＴ35において、ＯＳＤ信号Ｓosdの出力を終了することで、ＯＳＤ画像を消画させ、処理を完了する。
【０１０１】
次に、図５のフローチャートを参照して、音量をＯＳＤ表示する際の動作について説明する。
【０１０２】
図５において、ユーザー等がリモコン装置に設けられている音量調整ボタンを操作し、制御部１５が、リモコンインターフェース１７を介して、送信されてきた信号を受信すると、ステップＳＴ40において、受信信号の内容を解析して、調整操作された音量の情報を取得する。
【０１０３】
次に、ステップＳＴ41において、制御部１５が、制御信号ＣＮＴaによって上述の音量の情報を音声信号処理部Ａと、ＯＳＤ制御部２に供給する。これにより、音声信号処理部Ａが、ユーザー等によって調整操作された音量となるように、音声信号Ｓaに対する増幅率を調整し、その調整した音声信号ＳauをスピーカＳＰに供給して鳴動させる。
【０１０４】
次に、ステップＳＴ42において、ＯＳＤ制御部２が、制御信号ＣＮＴaに含まれている上述の音量の情報を取得し、調整操作された音量を帯状の長さで示す画像パターンを生成する。
【０１０５】
次に、ステップＳＴ43において、ＯＳＤ制御部２が、記憶部３に記憶されているフラグＦの付けられている音声再生モードに関する項目データＤ(i)を検索し、更にその項目データＤ(i)に対応付けられている色データＣ(i)を取得する。更に、フラグＨの付けられている映像再生モードに関する項目データＥ(j)を検索し、その項目データＥ(j)に対応付けられているアイコンデータＧ(j)を取得する。
【０１０６】
次に、ステップＳＴ44において、ＯＳＤ制御部２が、上述した音量を帯状の長さで示す画像パターンに、取得した色データＣ(i)に基づいて着色処理を施し、更に取得したアイコンデータＧ(j)を組み合わせることで、現在設定されている音量を帯状の長さで示し、現在設定されている音声再生モードを、色データＣ(i)に基づく色で示し、現在設定されている映像再生モードをアイコンデータＧ(j)に基づく絵柄で示すＯＳＤ画像データＳosdを生成する。そして、ＯＳＤ画像データＳosdを画像合成部４に供給する。
【０１０７】
次に、ステップＳＴ45において、画像合成部４が、ビデオ信号処理部Ｂから出力されるビデオ信号Ｓvdと、ＯＳＤ画像データＳosdとを所定のフレーム期間又はフィールド期間に同期して合成処理することで、合成ビデオ信号Ｓvcを生成し、ディスプレイＤＹに供給する。これにより、図３（ｃ）に示したように、ディスプレイＤＹの画面上に、ビデオ信号Ｓvdによる映像と共に、ＯＳＤ画像データＳosdによるＯＳＤ画像が表示され、ユーザー等が音量と音声再生モードと映像再生モードを確認することができる。
【０１０８】
次に、ステップＳＴ46において、内蔵されているプログラムタイマーを起動させて、予め決められた一定時間（例えば、３秒程度）が経過するまで、提示したＯＳＤ画像を継続表示させた後、ステップＳＴ47において、ＯＳＤ信号Ｓosdの出力を終了することで、ＯＳＤを画像を消画させ、処理を完了する。
【０１０９】
以上に説明したように、本実施例のテレビジョン受像機によれば、実施形態と同様の効果が得られる他、ユーザー等が所望の映像再生モードを設定した後、音量調整操作をすると、音量と音声再生モードのＯＳＤ表示に加えてその映像再生モードのＯＳＤ表示も表示されるため、簡単に現在の動作モードを知ることができる。
【０１１０】
特に、使用頻度の高い音量調整操作が成されるのに応じて、現在設定されている音声再生モードと映像再生モードを同時にＯＳＤ表示するので、ユーザー等に対し、優れた利便性、操作性を提供することが可能である。
【０１１１】
なお、本実施例においても、ＯＳＤ装置１を、電子素子や集積回路装置等のハードウェアで形成しても良いし、また、コンピュータプログラムで作成して、マイクロプロセッサやディジタルシグナルプロセッサ（ＤＳＰ）で実行させるようにしてもよい。つまり、ファームウェアで実現しても良い。
【０１１２】
また、上述の作成したコンピュータプログラムを制御部１５で実行させることで、ＯＳＤ制御部２の機能を持たせるようにしてもよい。かかる構成によると、ＯＳＤ制御部２を省略することができ、回路構成の簡素化等を実現することが可能である。
【０１１３】
また、演出再生の機能として、ジャズやポップスやクラシック等の音楽ソースに合わせて再生する所謂イコライザー機能の他、ユーザー等に更なる臨場感を与える音場制御による音声再生機能を追加しても良い。
【図面の簡単な説明】
【０１１４】
【図１】図１（ａ）は、実施形態に係るＯＳＤ装置の構成を示すブロック図、図１（ｂ）〜（ｅ）はＯＳＤ装置の機能を説明するための説明図である。
【図２】実施例に係るテレビジョン受像機の構成を示すブロック図である。
【図３】図２に示したテレビジョン受像機のＯＳＤ表示機能を説明するための説明図である。
【図４】図２に示したテレビジョン受像機の動作を説明するためのフローチャートである。
【図５】更に、図２に示したテレビジョン受像機の動作を説明するためのフローチャートである。
【符号の説明】
【０１１５】
１…オンスクリーン表示装置
２…ＯＳＤ制御部
３…記憶部
【図１】
2008141463.tif 000005
【図２】
2008141463.tif 000006
【図３】
2008141463.tif 000007
【図４】
2008141463.tif 000008
【図５】
2008141463.tif 000009